(57)【要約】【課題】水栓本体に取り付けられる湯配管用継手および水配管用継手間のピッチの調整を行える湯水混合水栓を提供すること。【解決手段】水栓本体２に取り付けられる湯配管用継手８および水配管用継手９間のピッチを変更可能に構成してある。【選択図】　　　　　図４
2004084382.tif 000002
【特許請求の範囲】
【請求項１】
水栓本体に取り付けられる湯配管用継手および水配管用継手間のピッチを変更可能に構成してあることを特徴とする湯水混合水栓。
【請求項２】
前記水栓本体は、左右の所定位置にそれぞれ前記湯配管用継手が取り付けられる湯配管用継手取り付け穴および前記水配管用継手が取り付けられる水配管用継手取り付け穴が形成された筒状の胴よりなる一方、前記湯配管用継手取り付け穴の周縁の表面側に凹入部を形成するとともに、前記水配管用継手取り付け穴の周縁の表面側に凹入部を形成し、更に、前記湯配管用継手取り付け穴の前記凹入部上を前記湯配管用継手が前記胴の軸芯方向に沿った方向に摺動可能に構成されるとともに、前記水配管用継手取り付け穴の前記凹入部上を前記水配管用継手が前記胴の軸芯方向に沿った方向に摺動可能に構成されている請求項１に記載の湯水混合水栓。
【請求項３】
前記水栓本体は、左右の所定位置にそれぞれ湯配管用継手取り付け穴および水配管用継手取り付け穴が形成された筒状の胴よりなり、この胴の外周面における前記湯配管用継手取り付け穴および水配管用継手取り付け穴間に雄ねじを設け、この雄ねじに一対のナットを螺合させ、一方の前記ナットで湯配管用継手を可変調整できるとともに、他方の前記ナットで水配管用継手を可変調整できるように構成してある請求項１に記載の湯水混合水栓。
【請求項４】
前記水栓本体は、湯配管用継手取り付け用穴を有する部材および水配管用継手取り付け用穴を有する部材と、これら部材を近接させたり、離間させるよう連結する連結体とを収容してなる胴よりなり、更に、前記両部材を近接させたり、離間させる手段が、前記両部材および前記連結体に形成されている請求項１に記載の湯水混合水栓。
【請求項５】
水栓本体に取り付けられる湯配管用継手および水配管用継手間のピッチと、前記水栓本体に取り付けられる吐水管用継手の取り付け位置とを変更可能に構成してあることを特徴とする湯水混合水栓。
【請求項６】
前記水栓本体は、湯配管用継手取り付け用穴を有する部材および水配管用継手取り付け用穴を有する部材と、これら部材を近接させたり、離間させるよう連結する連結体とを収容してなる胴よりなり、更に、前記両部材を近接させたり、離間させる手段が、前記両部材および前記連結体に形成されている一方、吐水管用継手取り付け用穴を有する部材は、前記両部材においてシール可能で、かつ、前記両部材間において前記吐水管用継手の取り付け位置が可変調整可能に構成されている請求項５に記載の湯水混合水栓。
【請求項７】
両端側の開口から前記水栓本体が内部に挿入されるカバー体を備え、このカバー体が陶磁性材料からなる請求項１ないし請求項６のいずれかに記載の湯水混合水栓。
【発明の詳細な説明】
【０００１】
【発明の属する技術分野】
この発明は、湯水混合水栓に関するものである。
【０００２】
【従来の技術】
本出願人は、カバー体と、このカバー体の開口から内部に挿入される水栓本体の胴とを備えた壁付きタイプの湯水混合水栓を開発中である。これは、カバー体を陶磁性材料で構成することにより、従来より用いられていたステンレス等の加工性の良い金属や合成樹脂などでは得られなかった和風の外観や独特の重量感，肌触りが実現でき、水栓本体の胴に湯配管用継手および水配管用継手を取り付けるのに、これら継手が挿通可能な二つの穴を前記カバー体に形成するというものである。
【０００３】
【発明が解決しようとする課題】
ところで、前記陶磁性材料のカバー体に形成される前記二つの穴の加工精度は水栓本体の胴に形成される前記両継手の取付穴の加工精度よりも劣るので、前記二つの穴間のピッチと前記二つの取付穴間のピッチが必ずしも一致せず、前記カバー体に前記胴を挿入しても最悪の場合、前記継手を取り付けるのが難しいという問題があった。
【０００４】
この発明は上述の事柄に留意してなされたもので、その目的は、水栓本体に取り付けられる湯配管用継手および水配管用継手間のピッチの調整を行える湯水混合水栓を提供することである。
【０００５】
【課題を解決するための手段】
上記目的を達成するために、この発明の湯水混合水栓は、水栓本体に取り付けられる湯配管用継手および水配管用継手間のピッチを変更可能に構成してある。
【０００６】
また、この発明は別の観点から、水栓本体に取り付けられる湯配管用継手および水配管用継手間のピッチと、前記水栓本体に取り付けられる吐水管用継手の取り付け位置とを変更可能に構成してあることを特徴とする湯水混合水栓を提供する。
【０００７】
【発明の実施の形態】
以下、この発明の実施の形態を図面に基づいて説明する。
【０００８】
図１〜図４は、水栓本体（胴）の湯配管用継手取り付け穴の周縁の表面側に凹入部を形成するとともに、水栓本体（胴）の水配管用継手取り付け穴の周縁の表面側に凹入部を形成する一方、各凹入部上を湯配管用継手、水配管用継手がそれぞれ独立に胴の軸芯方向に沿った方向に摺動できるように構成して湯配管用継手および水配管用継手間のピッチを変更可能にしてあるこの発明の第１の実施形態を示す。
【０００９】
図１〜図４において、湯水混合水栓１は壁付きタイプの水栓であり、筒状の胴２よりなる水栓本体と、外観が左右の方向（両矢印Ａで示す方向）に長い直方体の形状をなし、前記胴２が挿入可能な縦断面円形の貫通穴ＳがＡ方向に沿って内部に形成される陶磁性材料（セラミック）のカバー体（以下、陶器カバー体という）３とを主として有する。
【００１０】
胴２は貫通穴Ｓの左右一対の側方開口４，５のいずれかから挿入され、胴２の軸芯と貫通穴ＳのＡ方向に沿う中心軸とを一致させた状態で、胴２は陶器カバー体３内に配置される。
【００１１】
前記胴２の外周面の左右の所定位置には、それぞれ湯配管用継手８が取り付けられる湯配管用継手取り付け穴６および水配管用継手９が取り付けられる水配管用継手取り付け穴７が形成されている。湯配管用継手８には湯穴１００が形成されている。また、湯配管用継手取り付け穴６は、胴２の湯室Ｈに連通している。水配管用継手９には水穴１０１が形成されている。また、水配管用継手取り付け穴７は、胴２の水室Ｃに連通している。
湯配管用継手８は、上流側に位置する雄ねじ大径部８ｂと下流側に位置する雄ねじ小径部８ａで構成され、雄ねじ大径部８ｂは例えば台所、洗面室あるいは浴室等の壁Ｗを貫通して上流端が湯配管に接続されている偏心管などの脚２３の下流端に接続されている。
また、水配管用継手９は、上流側に位置する雄ねじ大径部９ｂと下流側に位置する雄ねじ小径部９ａで構成され、雄ねじ大径部９ｂは前記壁Ｗを貫通して上流端が水配管に接続されている偏心管などの脚２４の下流端に接続されている。脚２４と脚２３は同一形状である。
そして、湯配管用継手８に形成されている前記湯穴１００に湯配管用継手取り付け穴６が連通するよう湯配管用継手８が胴２に取り付けられる。また、水配管用継手９に形成されている前記水穴１０１に水配管用継手取り付け穴７が連通するよう水配管用継手９が胴２に取り付けられる。
【００１２】
更に、胴２は、湯配管用継手取り付け穴６の周縁の表面（胴２の外面）側に形成される平面視環状の凹入部ｍを有するとともに、水配管用継手取り付け穴７の周縁の表面（胴２の外面）側に形成される平面視環状の凹入部ｎを有する。
【００１３】
そして、湯配管用継手取り付け穴６の前記凹入部ｍ上を前記湯配管用継手８が前記胴の軸芯方向に沿った方向（Ａ方向）に摺動可能に構成されるとともに、水配管用継手取り付け穴７の前記凹入部ｎ上を前記水配管用継手９が前記胴の軸芯方向に沿った方向（Ａ方向）に摺動可能に構成されている。
【００１４】
Ｒ１　は、前記凹入部ｍ上をＡ方向に摺動する、湯配管用継手８の下流側に位置する雄ねじ小径部８ａの摺動領域を示す。Ｒ２　は、前記凹入部ｎ上をＡ方向に摺動する水配管用継手９の下流側に位置する雄ねじ小径部９ａの摺動領域を示す。
【００１５】
一方、胴２が陶器カバー体３内に配置された状態において、陶器カバー体３は、湯配管用継手８の挿通穴１１を湯配管用継手取り付け穴６に対応する位置の背面部１０に有するとともに、水配管用継手９の挿通穴１２を水配管用継手取り付け穴７に対応する位置の背面部１０に有する。
【００１６】
以下、胴２に取り付けられる湯配管用継手８および水配管用継手９間のピッチＰを可変にできる可変手段について説明する。
【００１７】
１４は、前記平面視環状の凹入部ｍの外縁と凹入部ｍの周囲における胴２の表面部（外周面部）２ａを覆う筒状の湯側被覆部材で、湯配管用継手８の前記雄ねじ小径部８ａに螺合する雌ねじが形成された接続口部１５を有する。前記表面部（外周面部）２ａには、凹入部ｍを挟む形で左右一対のＯリングａ，ｂが設けられている。
【００１８】
一方、１６は、前記平面視環状の凹入部ｎの外縁と凹入部ｎの周囲における胴２の表面部（外周面部）２ｂを覆う筒状の水側被覆部材で、水配管用継手９の前記雄ねじ小径部９ａに螺合する雌ねじが形成された接続口部１７を有する。前記表面部（外周面部）２ｂには、凹入部ｎを挟む形で左右一対のＯリングｃ，ｄが設けられている。
【００１９】
そして、湯側被覆部材１４を胴２にはめ込み、水側被覆部材１６を胴２にはめ込んだ後、胴２が貫通穴Ｓの左右一対の側方開口４，５のいずれかから陶器カバー体３内に挿入され、胴２の軸芯と貫通穴ＳのＡ方向に沿う中心軸とを一致させた状態で、胴２は陶器カバー体３内に配置される。続いて、陶器カバー体３の挿通穴１１を介して湯配管用継手８を接続口部１５に接続するとともに、陶器カバー体３の挿通穴１２を介して水配管用継手９を接続口部１７に接続する。このとき、例えば湯配管用継手８のねじ込み動作時において湯側被覆部材１４の接続口部１５を挿通穴１１を介して工具にて押し当てた後、湯側被覆部材１４を前記工具にてＡ方向に摺動させることで挿通穴１１を介して湯配管用継手８を接続口部１５に接続できる。同様に、水側被覆部材１６の接続口部１７を挿通穴１２を介して工具にて押し当てた後、水側被覆部材１６を前記工具にてＡ方向に摺動させることで挿通穴１２を介して水配管用継手９を接続口部１７に接続できる。
【００２０】
次に、前記可変手段以外の構成部材およびこれらの取り付け手順について説明する。
【００２１】
２１は、弁体で、胴２の軸芯のまわりに回動操作される栓棒２２に連動連結されるセラミック製の可動ディスク１９と、この可動ディスク１９が摺動する摺動面を有するとともに、可動ディスク１９に形成されている通水孔に連通する通水孔を有するセラミック製の固定ディスク２０とより構成される。この弁体２１は一対用意されており、一方の弁体２１は、陶器カバー体３の左側方開口４から胴２の左側方開口４’を介して胴２内に挿入されて胴２の湯室Ｈに収容され、他方の弁体２１は、陶器カバー体３の右側方開口５から胴２の右側方開口５’を介して胴２内に挿入されて胴２の水室Ｃに収容される。
【００２２】
続いて、一方の緩衝部材２５が、栓棒２２を挿通させながら左側方開口４から陶器カバー体３内に挿入されるとともに、他方の緩衝部材２６が、栓棒２２を挿通させながら右側方開口５から陶器カバー体３内に挿入される。二つの緩衝部材２５，２６は、同一形状で、貫通穴Ｓにはめ込まれるよう筒状形状をなし、弾性材料で形成されている。緩衝部材２５は、挿入方向内側に湯側被覆部材１４の環状端面部分および胴２の一方の環状端面部分を挟む環状の溝２７を有する。また、緩衝部材２５は、湯配管用継手８の雄ねじ大径部８ｂに螺合する袋ナット２９を介して胴２を陶器カバー体３内に宙づりの状態で固定したときに、陶器カバー体３の破損を防止するよう外周側に環状のクッション部３０を有する。
【００２３】
また、緩衝部材２６は、挿入方向内側に水側被覆部材１６の環状端面部分および胴２の他方の環状端面部分を挟む環状の溝２７’を有する。また、緩衝部材２６は、水配管用継手９の雄ねじ大径部９ｂに螺合する袋ナット３１を介して胴２を陶器カバー体３内に宙づりの状態で固定したときに、陶器カバー体３の破損を防止するよう外周側に環状のクッション部３０’を有する。
【００２４】
緩衝部材２５，２６を取り付けた後は、貫通穴Ｓの左右一対の側方開口４および５をそれぞれ閉塞する金属製で環状の閉塞体３３，３４が栓棒２２を挿通させながら陶器カバー体３に取り付けられる。続いて、閉塞体３３の中央孔３３ａを挿通した状態で環状の固定部材３５に形成されている外ねじＭを緩衝部材２５の内周面に形成されている内ねじＮに螺合することで緩衝部材２５に固定部材３５が栓棒２２を挿通させながら取り付けられる。同様に、緩衝部材２６に固定部材３５が栓棒２２を挿通させながら取り付けられる。続いて、左右の固定部材３５に、それぞれ栓棒２２を回動操作するための操作部材３７を回動可能に取り付ける。操作部材３７は、栓棒２２に連動連結する金属製の連結部３７ａと、連結部３７ａの軸受部３７ｃと、連結部３７ａの内側と軸受部３７ｃを縦断面コ字形状の陶磁性材料よりなる化粧部３７ｂと、軸受部３７ｃを介して栓棒２２に連動連結する金属製の操作レバー部３７ｄとより構成される。
【００２５】
更に、この実施形態では陶器カバー体３の上面部３８のＡ方向に沿った中央位置に、吐水管用継手４０の挿通孔３９を有するとともに、胴２の挿通孔３９に対応する位置に吐水管用継手４０を螺合させる雌ねじが形成された吐水管用孔４１を有する。吐水管用継手４０は、挿通孔３９を介して吐水管用孔４１に接続され、袋ナット４２で吐水管用継手４０が陶器カバー体３の上面部３８に固定される。吐水管４４は、筒状の陶磁性材料よりなるカバー体４５で覆われる。４６は、カバー体４５の前面開口を覆うキャップ、４７は、カバー体４５の後面開口を覆うキャップである。
【００２６】
図５は、水栓本体が、湯配管用継手取り付け穴６および水配管用継手取り付け穴７が形成された筒状の胴２よりなり、この胴２の外周面（表面）における前記湯配管用継手取り付け穴６および水配管用継手取り付け穴７間に雄ねじ５０を設け、この雄ねじ５０に一対のナット５１，５２を螺合させ、一方の前記ナット５０で湯配管用継手８を可変調整できるとともに、他方の前記ナット５２で水配管用継手９を可変調整できるように構成してあるこの発明の第２の実施形態を示す。なお、図５において、図１〜図４に示した符号と同一のものは同一または相当物である。
【００２７】
図６〜図９は、水栓本体に取り付けられる湯配管用継手８および水配管用継手９間のピッチＰと、前記水栓本体に取り付けられる吐水管用継手４０の取り付け位置とを可変可能に構成してあるこの発明の第３の実施形態を示す。なお、図６〜図９において、図１〜図５に示した符号と同一のものは同一または相当物である。
【００２８】
図６〜図９において、水栓本体は、湯配管用継手取り付け用穴６を有する部材５１および水配管用継手取り付け用穴７を有する部材５２と、これら部材５１，５２を近接させたり、離間させるよう連結する連結体５３とを収容してなる胴５０よりなり、更に、前記両部材５１，５２を近接させたり、離間させる手段が、前記両部材５１，５２および前記連結体５３に形成されている一方、吐水管用継手取り付け用穴５５を有する部材５６は、前記両部材５１，５２においてシール可能で、かつ、前記両部材５１，５２間において前記吐水管用継手４０の取り付け位置が可変調整可能に構成されている。
【００２９】
胴５０は、左右（湯側、水側）の内ねじ部６０，６１を残して筒体を半割りにした形状をなし、左右の雌ねじ部６０，６１のうち、湯側の左雌ねじ部６０に緩衝部材２５が雄ねじ２５ａを介して接続され、水側の右の雌ねじ部６１に緩衝部材２６が雄ねじ２６ａを介して接続される。すなわち、前記胴５０は、緩衝部材２５，２６を介して陶器カバー体３内に固定設置されうる。
【００３０】
また、栓棒２２は、操作部材３７に連動連結される操作棒２２ａと、可動ディスク１９に連動連結されるディスク棒２２ｂよりなる。操作棒２２ａは、内周面にＡ方向に沿って形成されたセレーションを有する筒状の溝６０を内側に有し、ディスク棒２２ｂは、このセレーションに係合するセレーションが外周面に形成されている突起部６１を外側に有する。したがって、前記両部材５１，５２を近接させたり、離間させるときに溝６０内を突起部６１がＡ方向に沿ってシフトすることになる。
【００３１】
以下、前記両部材５１，５２を近接させたり、離間させる手段について説明する。
【００３２】
前記部材５１は、外側端が緩衝部材２５の内側に設けた環状溝５１ｃに回動自在にはめ込まれ、内側端に雄ねじＧを有する。前記部材５２は、外側端が緩衝部材２６の内側に設けた環状溝５２ｃに回動自在にはめ込まれ、内側端に雄ねじＧを有する。
【００３３】
一方、連結体５３は、筒状で、周面Ｆにおける中央の位置に、同じ大きさの矩形の四つの接続孔６３を円周方向に等間隔で有する。この接続孔６３の大きさは、吐水管用継手取り付け用穴５５を有する部材５６を、図９に示すように連結体５３に挿入したときに接続孔６３の上方から吐水管用継手取り付け用穴部５５に吐水管用継手４０が接続できる大きさに設定されている。更に、連結体５３は、周面Ｆの内側で接続孔６３の両端側に一対の雌ねじ６４，６５を有する。雌ねじ６４，６５のうち、部材５１側の雌ねじ６４は例えば左ねじに形成されており、一方、部材５２側の雌ねじ６５は例えば右ねじに形成されている。そして、雌ねじ６４を部材５１の雄ねじＧに螺合するとともに、雌ねじ６５を部材５２の雄ねじＧに螺合した状態で連結体５３を例えば時計方向（Ｊ方向）に回すと両部材５１，５２が近接するよう移動する一方、連結体５３を例えば反時計方向（Ｋ方向）に回すと両部材５１，５２が離間するよう移動することになる。これにより、湯配管用継手８および水配管用継手９間のピッチＰを可変可能に構成できる。８０は、両部材５１，５２の各雄ねじＧに螺合する一対のロックナットで、ピッチＰを調整した後連結体５３を固定するためのものであるが、必ずしも必要ではない。
【００３４】
次に、吐水管用継手４０の取り付け位置が可変調整可能に構成される機構について説明する。
【００３５】
吐水管用継手取り付け用穴５５は、筒状体５５ａの周面を貫通して形成されている。この筒状体５５ａの両側面に筒状体５５ａよりも小径の連通部７０，７０が設けられている。この連通部７０は外周面に一対のＯリング７１，７１を有する。この連通部７０はＯリング７１，７１をを介して両部材５１，５２のそれぞれ雄ねじ部５１ｃ，５２ｃにＡ方向に摺動可能に挿入されている。したがって、湯配管用継手８および水配管用継手９間のピッチ調整とは別に、吐水管用継手取り付け用穴５５を有する部材５６をＡ方向に摺動することにより、吐水管用継手４０の取り付け位置を変更できる。
【００３６】
なお、この発明では、陶器カバー体３の代わりに、高硬度金属（ハステロイ，チタン，マグネシウム等）やエラストマー樹脂，繊維（ヤシ繊維等），木材よりなるカバー体３を用いてもよい。
【００３７】
【発明の効果】
以上説明したようにこの発明によれば、水栓本体に取り付けられる湯配管用継手および水配管用継手間のピッチの調整を行える湯水混合水栓を提供することができる効果がある。
【図面の簡単な説明】
【図１】この発明の第１の実施形態を示す全体斜視図である。
【図２】上記実施形態を示す要部構成説明図である。
【図３】上記実施形態を示す構成説明図である。
【図４】上記実施形態における取り付け手順を説明するための図である。
【図５】この発明の第２の実施形態を示す要部構成説明図である。
【図６】この発明の第３の実施形態を示す要部構成説明図である。
【図７】上記第３の実施形態を示す構成説明図である。
【図８】上記第３の実施形態を示す要部分解斜視図である。
【図９】上記第３の実施形態を示す分解斜視図である。
【符号の説明】
１…湯水混合水栓、２…水栓本体、６…湯配管用継手取り付け穴、７…水配管用継手取り付け穴、８…湯配管用継手、９…水配管用継手、ｍ，ｎ…凹入部。
【図１】
2004084382.tif 000003
【図２】
2004084382.tif 000004
【図３】
2004084382.tif 000005
【図４】
2004084382.tif 000006
【図５】
2004084382.tif 000007
【図６】
2004084382.tif 000008
【図７】
2004084382.tif 000009
【図８】
2004084382.tif 000010
【図９】
2004084382.tif 000011